【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
縦方向及びそれに直交する横方向と、肌対向面及び着衣対向面と、前ウエスト域と、後ウエスト域と、前記前後ウエスト域間に位置するクロッチ域と、少なくとも前記クロッチ域に配置された、吸液性コアを備えた吸液構造体とを含む使い捨て着用物品において、
前記吸液構造体は、少なくとも前記クロッチ域に位置する第１吸収部と、前記第１吸収部の両側部の前記肌対向面上に位置して前記縦方向へ延びる一対の第２吸収部とを有し、
前記第２吸収部は、着用者の身体に当接する当接面と、前記第１吸収部と連続する基側縁部と、前記基側縁部と並行して前記縦方向へ延びる自由側縁部とを有し、前記第２吸収部は、前記自由側縁部側に位置する第１区域と、前記基側縁部側に位置する第２区域とに区分されており、
前記第２吸収部の前記当接面は親水性を有し、
前記第１区域と前記第２区域とに前記縦方向へ延びる側部弾性体が配設されることを特徴とする着用物品。
【手続補正２】
【補正対象書類名】特許請求の範囲
【補正対象項目名】請求項３
【補正方法】変更
【補正の内容】
【請求項３】
前記第１区域と前記第２区域とは、前記第２吸収部の幅寸法を２等分するものであって、着用状態において、前記第１区域の収縮状態における前記縦方向の寸法が、前記第２区域の収縮状態における前記縦方向の寸法よりも小さくなる一方、前記第２吸収部を前記第１吸収部から分離したときに、前記第１区域の収縮状態における前記縦方向の寸法と前記第２区域の収縮状態における前記縦方向の寸法とがほぼ等しくなる請求項１又は２に記載の着用物品。
【手続補正３】
【補正対象書類名】特許請求の範囲
【補正対象項目名】請求項７
【補正方法】変更
【補正の内容】
【請求項７】
前記被覆シートの両側部には、前記縦方向へ延びるカフ弾性体が取り付けられて収縮性を有する前記自由側縁部が位置し、前記クロッチ域において、前記クロッチ域の側縁から前記第２吸収部の前記自由側縁部の側縁までの前記横方向の寸法が、前記クロッチ域の側縁から前記被覆シートの前記自由側縁部までの前記横方向における寸法よりも大きい請求項５又は６に記載の着用物品。
【手続補正４】
【補正対象書類名】特許請求の範囲
【補正対象項目名】請求項８
【補正方法】変更
【補正の内容】
【請求項８】
前記吸液構造体は、折曲された部分に重なって前記縦方向へ延びる凹状溝を有し、前記凹状溝において、前記吸液構造体の他の部分に比して前記吸液性コアの単位面積当たりの質量が小さい又は前記吸液性コアが非存在である請求項２〜７のいずれかに記載の着用物品。
【手続補正５】
【補正対象書類名】明細書
【補正対象項目名】００１８
【補正方法】変更
【補正の内容】
【００１８】
図２及び３を参照すると、吸収シャーシ１１は、透液性の身体側ライナ３３とそれに身体側が被覆された吸収体３４とを有する吸液構造体３５と、吸収体３４の着衣対向面側に位置する疎水性の被覆シート３６とを含む。身体側ライナ３３は、例えば、親水化処理されたスパンボンド繊維不織布、ＳＭＳ繊維不織布等から形成することができる。被覆シート３６は、疎水性のＳＭＳ繊維不織布やスパンボンド不織布等から形成される。被覆シート３６と吸液構造体３５との間には、通気性及び不透液性を有するプラスチックフィルムから形成された防漏シート３７が配置される。防漏シート３７はオプションであって、本実施形態において、後記の接合域７０，７１は、吸液構造体３５と防漏シート３７とを接合するためのものであるが、防漏シート３７を配置していない場合には、吸液構造体３５と被覆シート３６とを接合する。
【手続補正６】
【補正対象書類名】明細書
【補正対象項目名】００２１
【補正方法】変更
【補正の内容】
【００２１】
図５を参照すると、第２吸収部４２は、着用状態において着用者の身体に当接する当接面５９Ａとその反対側に位置する非当接面５９Ｂと、第１吸収部４１から連続する基側縁部５０と、基側縁部５０よりも縦中心線Ｐ側へ位置する自由側縁部５１とを有する。第２吸収部４２は、吸収体３４とその身体側を被覆する透液性の身体側ライナ３３とから構成されているので、その外面全体（当接面５９Ａ及び非当接面５９Ｂ）が親水性を有する。側部弾性体３８は、第２吸収部４２のうちの当接面５９Ａ側に位置しており、身体側ライナ３３と透液性の固定シート５２との間に配置される。固定シート５２はオプションであって、身体側ライナ３３と吸収体３４との間に側部弾性体３８を配置することもできるが、おむつ１０の製造時において、半剛性の吸収体３４に直接的に側部弾性体３８を取り付ける場合に比して、固定シート５２を介在させることによってより安定的に側部弾性体３８を取り付けることができる。また、便宜上、第２吸収部４２は、その幅寸法を２等分する、自由側縁部５１側に位置する第１区域６１と、基側縁部５０側に位置する第２区域６２とに区分される。
【手続補正７】
【補正対象書類名】明細書
【補正対象項目名】００３０
【補正方法】変更
【補正の内容】
【００３０】
第２吸収部４２は、全体が着用者の身体１７に面状にフィットするので、その一部のみがフィットして体液を吸収する場合に比して、吸収効率が高いものといえる。また、第２吸収部４２のうちの少なくとも当接面５９Ａが親水性を有するものであるから、身体１７をつたって第２吸収部４２の頂点（自由側縁部５１）を越えて外へ漏れ出た体液を第２吸収部４２の当接面５９Ａにおいて吸収して保持することができる。本実施形態においては、第２吸収部４２の非当接面５９Ｂを含めた全面が親水性を有しているので、排泄された体液は、まず、第１吸収部４１の肌対向面と第２吸収部４２の非当接面５９Ｂとを透過してそれらに吸収、保持される。次に、身体をつたって第２吸収部４２の頂点を越えて吸液構造体３５の肌対向面側へ移動した体液は、第２吸収部４２の当接面５９Ａから吸収、保持される。ただし、第２吸収部４２に所要の体液が吸収、保持される限りにおいて、第２吸収部４２の非当接面５９Ｂは親水性ではなく、疎水性又は不透液性であってもよい。かかる場合には、非当接面５９Ｂからの体液の吸収が抑制される一方、おむつ１０において横方向Ｘへ移動する排泄物の漏れを効果的に防止することができる。
【手続補正８】
【補正対象書類名】明細書
【補正対象項目名】００３１
【補正方法】変更
【補正の内容】
【００３１】
被覆シート３６のバリアカフ６４は、第２吸収部４２の外側において、カフ弾性体６３の収縮力によって着用者の身体１７に向かって起立する。第２吸収部４２の幅寸法Ｗ１は、バリアカフ６４の横方向Ｘの幅寸法よりも大きくなっており、具体的には、クロッチ域１５においてクロッチ域１５の側縁から第２吸収部４２の自由側縁部５１の側縁までの前記横方向Ｘの寸法がクロッチ域１５の側縁から被覆シート３６の自由縁部までの横方向Ｘの寸法よりも大きくなっている。したがって、第２吸収部４２及びバリアカフ６４が起立した状態において、第２吸収部４２の方がバリアカフ６４よりも高く、バリアカフ６４が第２吸収部４２を覆うことはない。バリアカフ６４は、不透液性又は撥水性であって、着用者の身体をつたって第２吸収部４２の当接面５９Ａ側に移動し、かつ、当接面５９Ａに吸収されない体液の漏れを防ぐ防漏堤としての機能を有する。また、側部弾性体３８の収縮作用によって起立した第２吸収部４２は、鼠径部間に挟まれて外側に倒伏しやすくなるところ、外側にバリアカフ６４が位置することによって、第２吸収部４２が外側へ倒れ込むのを防止している。すなわち、バリアカフ６４は、第２吸収部４２とともに２重の防漏壁を形成するとともに、第２吸収部４２の起立を補助する役割を果たすものである。また、既述のとおり、前後ウエスト域１３，１４が別体の前後ウエストパネル１８，１９から形成されるおむつ１０においては、体液を吸収した後に吸収シャーシ１１が自重によって適正位置からずり下がり易くなるところ、第２吸収部４２のみならずバリアカフ６４が身体にフィットされるので、かかるずり下がりを防止することができる。
【手続補正９】
【補正対象書類名】明細書
【補正対象項目名】００３４
【補正方法】変更
【補正の内容】
【００３４】
＜第２実施形態＞
図１０（ａ），（ｂ）及び図１１を参照すると、本実施形態において、吸液構造体３５の両側における折曲ライン４０と重なる部分には、縦方向Ｙへ延びる凹状溝８０が形成されている。吸液構造体３５の凹状溝８０においては、吸液性コア４３が存在していない又はその質量が他の部分よりも小さくて肉薄になっている。凹状溝８０を、部分的に、特に、クロッチ域１５に配置することによって、第２吸収部４２が縦方向Ｙへ収縮し易い領域が形成され、第２吸収部４２の起立性及び面フィット性が向上する。また、折曲ライン４０に重なって凹状溝８０が形成されていることによって、製造工程において、第２吸収部４２を内側へ折曲し易くなる。
【手続補正１０】
【補正対象書類名】明細書
【補正対象項目名】００３８
【補正方法】変更
【補正の内容】
【００３８】
上記段落に開示した本発明に係る使い捨て着用物品は、少なくとも下記の実施の形態を含むことができる。
（１）前記第１吸収部と前記第２吸収部とは一体に形成されたものであって、前記第１吸収部は前記吸液構造体の中央部から構成され、前記第２吸収部は、前記中央部の前記肌対向面側へ折り曲げられた前記吸液構造体の両側部から構成されており、前記第２吸収部の前記縦方向において離間する両端部が前端固定部及び後端固定部を介して前記第１吸収部に固定される。
（２）前記第１区域と前記第２区域とは、前記第２吸収部の幅寸法を２等分するものであって、着用状態において、前記第１区域の収縮状態における前記縦方向の寸法が、前記第２区域の収縮状態における前記縦方向の寸法よりも小さくなる一方、前記第２吸収部を前記第１吸収部から分離したときに、前記第１区域の収縮状態における前記縦方向の寸法と前記第２区域の収縮状態における前記縦方向の寸法とがほぼ等しくなる。
（３）前記吸液構造体は、少なくとも前記第１吸収部の前記肌対向面及び前記第２吸収部の前記当接面とを被覆する親水性の身体側ライナをさらに含み、前記側部弾性体は前記身体側ライナと前記吸液性コアとの間に配置される。
（４）前記吸液構造体は、前記吸液性コアの底面を被覆する不透液性の被覆シートと、前記吸液性コアを前記被覆シートに固定するための接合域とを有し、前記接合域は、前記吸液構造体の前記縦方向へ延びる中央部を固定するための中央接合域と、前記吸液構造体の両側縁部を固定するためのサイド接合域とを有し、前記サイド接合域は、前記中央接合域と前記横方向において所与寸法離間して位置しており、前記クロッチ域に位置する中間接合部と、前記中間接合部と前記縦方向において所与寸法離間して位置する前後端接合部とを有する。
（５）前記被覆シートと前記吸液構造体との間に位置する不透液性の防漏シートをさらに有する。
（６）前記被覆シートの両側部には、前記縦方向へ延びるカフ弾性体が取り付けられて収縮性を有する前記自由側縁部が位置し、前記クロッチ域において、前記クロッチ域の側縁から前記第２吸収部の前記自由側縁部の側縁までの前記横方向の寸法が、前記クロッチ域の側縁から前記被覆シートの前記自由側縁部までの前記横方向における寸法よりも大きい。
（７）前記吸液構造体は、折曲された部分に重なって前記縦方向へ延びる凹状溝を有し、前記凹状溝において、前記吸液構造体の他の部分に比して前記吸液性コアの単位面積当たりの質量が小さい又は前記吸液性コアが非存在である。
（８）前記前ウエスト域を画成する前ウエストパネルと、前記後ウエスト域を画成する後ウエストパネルとをさらに含み、前記吸液構造体の前後端部が前記前後ウエストパネルに固定される。
（９）前記第２吸収部は、前記第１吸収部から分離されて前記側部弾性体が収縮した自然状態において、前記当接面を内周壁とした断面中空円形の立体形状を有する。